(57)【特許請求の範囲】
【請求項１】
方形状に形成された用紙部と、該用紙部の一側辺部に隣接して前記用紙部と一体に形成された袋状の封筒部とを備えた封筒付き用紙であって、
前記封筒部は、封筒上紙部と、当該封筒上紙部に袋状に接着される封筒下紙部と、を備え、
前記用紙部は、前記封筒部の前記封筒上紙部と共通する１枚の用紙から形成されるとともに、
前記封筒部の前記封筒下紙部は、前記封筒上紙部に接着される領域を除く縁部全体が一本の直線状に裁断されて前記封筒部の開口部を形成し、
前記用紙部と前記封筒部の表裏面の少なくとも一方が無地であることを特徴とする封筒付き用紙。
【請求項２】
請求項１に記載の封筒付き用紙において、前記用紙部と前記封筒部とを切り離すための切り離し線をさらに備え、当該切り離し線がミシン目または印刷により形成されていることを特徴とする封筒付き用紙。
【請求項３】
請求項１または２に記載の封筒付き用紙において、前記用紙部と前記封筒部の合計寸法がＡ列規格の用紙サイズまたはＢ列規格の用紙サイズと同じ寸法となるように、前記封筒部が前記用紙部の一側辺部に隣接して形成されていることを特徴とする封筒付き用紙。
【請求項４】
請求項１〜３のいずれか一項に記載の封筒付き用紙において、前記封筒部が、前記用紙部の一側辺部に沿って長方形状に且つ前記用紙部の一側辺部に隣接して形成された前記封筒上紙部と、該封筒上紙部の一長辺部に隣接して形成された長方形状の前記封筒下紙部と、前記封筒上紙部の一短辺部と前記用紙部の一側辺部に隣接して形成された封緘片部とを有し、かつ前記封筒下紙部を前記封筒上紙部の裏面側に折り返すと共に前記封筒上紙部の裏面と前記封筒下紙部の裏面とを袋状に接着して形成されていることを特徴とする封筒付き用紙。
【請求項５】
請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部の一長辺部に隣接して形成された長方形状の前記封筒下紙部とを有し、かつ前記封筒下紙部を前記封筒上紙部の裏面側に折り返すと共に前記封筒上紙部の裏面と前記封筒下紙部の裏面とを袋状に接着して形成されていることを特徴とする封筒付き用紙。
【請求項６】
請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部とは異なる紙から形成された長方形状の前記封筒下紙部とを有し、かつ前記封筒上紙部と前記封筒下紙部とを袋状に接着して形成されていることを特徴とする封筒付き用紙。
【請求項７】
請求項１〜３のいずれか一項に記載の封筒付き用紙において、前記封筒部が、前記用紙部の一側辺部に沿って長方形状に且つ前記用紙部の一側辺部に隣接して形成された前記封筒上紙部と、該封筒上紙部の一方の短辺部に隣接して形成された長方形状の前記封筒下紙部と、前記封筒上紙部の他方の短辺部と前記用紙部の一側辺部に隣接して形成された前記封緘片部とを有し、かつ前記封筒下紙部を前記封筒上紙部の裏面側に折り返すと共に前記封筒上紙部の裏面と前記封筒下紙部の裏面とを袋状に接着して形成されていることを特徴とする封筒付き用紙。
【請求項８】
請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部の一短辺部に隣接して形成された長方形状の前記封筒下紙部とを有し、かつ前記封筒下紙部を前記封筒上紙部の裏面側に折り返すと共に前記封筒上紙部の裏面と前記封筒下紙部の裏面とを袋状に接着して形成されていることを特徴とする封筒付き用紙。
【発明の詳細な説明】
【技術分野】
【０００１】
本発明は、封筒付き申込用紙や封筒付きアンケート用紙などの各種の用紙として用いられる封筒付き用紙に関する。
【背景技術】
【０００２】
商品カタログ、パンフレットなどの広告印刷物に印刷された広告内容（例えば商品の購入を促す広告内容、会員制倶楽部の入会を促す広告内容など）を申し込む方法の一つとして、広告印刷物に添付された申込用紙に必要事項を記入し、これを返信用の封筒に入れて申し込む方法が知られている。この方法を利用して広告内容を申し込む場合、従来においては、申込用紙と封筒が別々に同封されていたため、例えばダイレクトメールなどで送られてきた透明フィルム封筒から広告印刷物を取り出したときに申込用紙と封筒がバラバラになってしまい、申込用紙や封筒を紛失してしまうことがあった。
【０００３】
そこで、このような問題等を解消すべく、封筒付きの申込用紙として、広告印刷物に印刷された広告内容を申し込むための申込用紙部と、この申込用紙部を広告印刷物の広告元に返送するための封筒部と、この封筒部と申込用紙部とを切り離すための切り離し線とを備えたものが提案されている（例えば、特許文献１参照）。
【先行技術文献】
【特許文献】
【０００４】
【特許文献１】特開２００８−２８５２３４号公報
【発明の概要】
【発明が解決しようとする課題】
【０００５】
しかしながら、上述した封筒付き申込用紙は、広告内容の申込欄や申込先等をロール紙や枚葉紙などの印刷用紙に印刷した後、これらの印刷用紙を所定の寸法にカットして作られている場合が多い。このため、顧客に配布する広告印刷物の配布数が多い場合には良いが、配布数が例えば数十部程度と少ない場合には、申込欄等が印刷された印刷用紙の大半が無駄となってしまい、紙資源の無駄な消費やコスト高を招くという問題があった。
【０００６】
また、広告内容の申込欄や申込先等をロール紙や枚葉紙に印刷するための印刷版を製作しなければならないため、配布数が少ない場合には、印刷版の製作コストが割高になると共に印刷のランニングコストも割高になるという問題があった。
本発明は、このような問題を解消すべくなされたものであり、使用枚数が少ない場合でも紙資源の無駄な消費やコスト高を防止することのできる封筒付き用紙を提供することを目的とする。
【課題を解決するための手段】
【０００７】
上記課題を解決するために、本発明の請求項１に係る発明は、方形状に形成された用紙部と、該用紙部の一側辺部に隣接して前記用紙部と一体に形成された袋状の封筒部とを備えた封筒付き用紙であって、前記封筒部は、封筒上紙部と、当該封筒上紙部に袋状に接着される封筒下紙部と、を備え、前記用紙部は、前記封筒部の前記封筒上紙部と共通する１枚の用紙から形成されるとともに、前記封筒部の前記封筒下紙部は、前記封筒上紙部に接着される領域を除く縁部全体が一本の直線状に裁断されて前記封筒部の開口部を形成し、前記用紙部と前記封筒部の表裏面の少なくとも一方が無地であることを特徴とする。
本発明の請求項２に係る発明は、請求項１に記載の封筒付き用紙において、前記用紙部と前記封筒部とを切り離すための切り離し線をさらに備え、当該切り離し線がミシン目または印刷により形成されていることを特徴とする。
【０００８】
本発明の請求項３に係る発明は、請求項１または２に記載の封筒付き用紙において、前記用紙部と前記封筒部の合計寸法がＡ列規格の用紙サイズまたはＢ列規格の用紙サイズと同じ寸法となるように、前記封筒部が前記用紙部の一側辺部に隣接して形成されていることを特徴とする。
【０００９】
本発明の請求項４に係る発明は、請求項１〜３のいずれか一項に記載の封筒付き用紙において、前記封筒部が、前記用紙部の一側辺部に沿って長方形状に且つ前記用紙部の一側辺部に隣接して形成された前記封筒上紙部と、該封筒上紙部の一長辺部に隣接して形成された長方形状の前記封筒下紙部と、前記封筒上紙部の一短辺部と前記用紙部の一側辺部に隣接して形成された封緘片部とを有し、かつ前記封筒下紙部を前記封筒上紙部の裏面側に折り返すと共に前記封筒上紙部の裏面と前記封筒下紙部の裏面とを袋状に接着して形成されていることを特徴とする。
【００１０】
本発明の請求項５に係る発明は、請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部の一長辺部に隣接して形成された長方形状の前記封筒下紙部とを有し、かつ前記封筒下紙部を前記封筒上紙部の裏面側に折り返すと共に前記封筒上紙部の裏面と前記封筒下紙部の裏面とを袋状に接着して形成されていることを特徴とする。
本発明の請求項６に係る発明は、請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部とは異なる紙から形成された長方形状の前記封筒下紙部とを有し、かつ前記封筒上紙部と前記封筒下紙部とを袋状に接着して形成されていることを特徴とする封筒付き用紙。
【００１１】
本発明の請求項７に係る発明は、請求項１〜３のいずれか一項に記載の封筒付き用紙において、前記封筒部が、前記用紙部の一側辺部に沿って長方形状に且つ前記用紙部の一側辺部に隣接して形成された前記封筒上紙部と、該封筒上紙部の一方の短辺部に隣接して形成された長方形状の前記封筒下紙部と、前記封筒上紙部の他方の短辺部と前記用紙部の一側辺部に隣接して形成された前記封緘片部とを有し、かつ前記封筒下紙部を前記封筒上紙部の裏面側に折り返すと共に前記封筒上紙部の裏面と前記封筒下紙部の裏面とを袋状に接着して形成されていることを特徴とする。
【００１２】
本発明の請求項８に係る発明は、請求項１〜３のいずれか一項に記載の封筒付き用紙において、前記封筒部が、前記用紙部の一側辺部に沿って長方形状に且つ前記用紙部の一側辺部に隣接して形成された封緘片部と、該封緘片部の一長辺部に隣接して形成された長方形状の前記封筒上紙部と、該封筒上紙部の一短辺部に隣接して形成された長方形状の前記封筒下紙部とを有し、かつ前記封筒下紙部を前記封筒上紙部の裏面側に折り返すと共に前記封筒上紙部の裏面と前記封筒下紙部の裏面とを袋状に接着して形成されていることを特徴とする。
【発明の効果】
【００１３】
本発明によれば、例えば封筒付き申込用紙として使用する場合に、広告印刷物の配布数に応じた分だけ広告内容の申込欄や申込先等を申込用紙部や封筒部に印刷することができ、封筒付き申込用紙を作製する前に広告内容の申込欄や申込先等をロール紙や枚葉紙に印刷しておく必要がないので、使用枚数が少ない場合でも紙資源の無駄な消費やコスト高を防止することができる。
【図面の簡単な説明】
【００１４】
【図１】本発明の第１の実施形態に係る封筒付き用紙の正面図である。
【図２】本発明の第１の実施形態に係る封筒付き用紙の背面図である。
【図３】本発明の第１の実施形態に係る封筒付き用紙の展開図である。
【図４】本発明の第１の実施形態に係る封筒付き用紙の作製方法の一例を示す図である。
【図５】本発明の第２の実施形態に係る封筒付き用紙の正面図である。
【図６】本発明の第２の実施形態に係る封筒付き用紙の背面図である。
【図７】本発明の第２の実施形態に係る封筒付き用紙の展開図である。
【図８】本発明の第３の実施形態に係る封筒付き用紙の正面図である。
【図９】本発明の第３の実施形態に係る封筒付き用紙の背面図である。
【図１０】本発明の第３の実施形態に係る封筒付き用紙の展開図である。
【図１１】本発明の第４の実施形態に係る封筒付き用紙の展開図である。
【図１２】本発明の第５の実施形態に係る封筒付き用紙の展開図である。
【図１３】本発明の第６の実施形態に係る封筒付き用紙の展開図である。
【図１４】本発明の第７の実施形態に係る封筒付き用紙の展開図である。
【発明を実施するための形態】
【００１５】
以下、図面を参照して本発明の実施形態について説明する。
本発明の第１の実施形態に係る封筒付き用紙を図１〜図３に示す。図中符号１０は本発明の第１の実施形態に係る封筒付き用紙であって、この封筒付き用紙１０は用紙部１１、封筒部１２および切り離し線１３を備えている。
用紙部１１は例えば封筒付き申込用紙の申込用紙部や封筒付きアンケート用紙のアンケート用紙部として使用されるものであって、例えば２１０ｍｍ×１８０ｍｍの寸法で長方形状に形成されている。
【００１６】
封筒部１２は用紙部１１を返送するためのものであって、用紙部１１の一側辺部としての一長辺部に隣接して用紙部１１と一体に且つ例えば２１０ｍｍ×１１０ｍｍの寸法で長方形状に形成されている。
封筒部１２は、また、用紙部１１の一側辺部に隣接する封筒上紙部１２１を有し、この封筒上紙部１２１は用紙部１１の一側辺部に沿って例えば１９５ｍｍ×１１０ｍｍの寸法で長方形状に成されている。また、封筒部１２は封筒上紙部１２１の一長辺部に隣接する封筒下紙部１２２を有し、この封筒下紙部１２２は封筒上紙部１２１の一長辺部に沿って例えば１９５ｍｍ×１１０ｍｍの寸法で長方形状に形成されている。さらに、封筒部１２は封緘片部１２３を有し、この封緘片部１２３は封筒上紙部１２１の一短辺部と用紙部１１の一側辺部に隣接して例えば１５ｍｍ×１１０ｍｍの寸法で長方形状に形成されている。
【００１７】
封筒部１２は、また、封筒下紙部１２２を封筒上紙部１２１の裏面側に折り返し線１２４に沿って折り返し、封筒上紙部１２１の裏面１２１ａと封筒下紙部１２２の裏面１２２ａとを袋状に接着して形成されている。さらに、封筒部１２は用紙部１１と封筒部１２の合計寸法がＡ３、Ａ４等のＡ列規格の用紙サイズまたはＢ４、Ｂ５等のＢ列規格の用紙サイズと同じ寸法となるように、用紙部１１の一側辺部に隣接して形成されている。
【００１８】
切り離し線１３は用紙部１１と封筒部１２とを切り離すためのものであって、用紙部１１と封筒部１２との間に封筒部１２の長手方向に沿って形成されている。また、この切り離し線１３は用紙部１１と封筒部１２との間にミシン目を線状に入れて形成されている。
用紙部１１と封筒部１２は、互いに共通する１枚の用紙１４から形成されている。また、用紙部１１と封筒部１２は、その表面と裏面が無地となっている。ここで言う「無地」とは、用紙部１１と封筒部１２の表面や裏面に文字情報が印刷されていないという意味であり、用紙部１１と封筒部１２の表裏面の余白部分に模様が印刷されていても差し支えない。また、用紙部１１上に罫線が印刷されていても差し支えない。
【００１９】
上述した封筒付き用紙１０は、例えば図４に示す方法によって作製される。すなわち、縦２１０ｍｍ、横４００ｍｍの無地の用紙１４を用意し、この用紙１４の四つの角部のうち一つの角部を縦１５ｍｍ、横１１０ｍｍの範囲で切り落とす。次に、図４（ｃ）に示すように、封筒部１２の封筒下紙部１２２を封筒上紙部１２１の裏面側に折り返し、封筒上紙部１２１の裏面１２１ａと封筒下紙部１２２の裏面１２２ａとを袋状に接着した後、図４（ｄ）に示すように、用紙部１１と封筒部１２との間に切り離し線１３を形成することで、図１〜図３に示す封筒付き用紙１０が作製される。
【００２０】
このような封筒付き用紙１０を例えば封筒付き申込用紙として使用する場合は、用紙部１１や封筒部１２に印刷すべき文字情報をパーソナルコンピュータ等に入力しておき、封筒付き用紙１０を必要な枚数だけオンデマンド印刷機またはプリンタにセットする。そして、オンデマンド印刷機またはプリンタを作動させ、無地の用紙部１１と封筒部１２に文字情報を印刷することで、広告内容の申込欄や申込先等が用紙部１１や封筒部１２に印刷される。なお、オンデマンド印刷機やプリンタの代わりに複写機を用いてもよい。
【００２１】
上述した第１の実施形態のように、用紙部１１と封筒部１２の表裏面を無地としたことで、封筒付き用紙１０を例えば封筒付き申込用紙として使用する場合に、広告印刷物の配布数に応じた分だけ広告内容の申込欄や申込先等を用紙部１１や封筒部１２に印刷することができる。従って、封筒付き申込用紙を作製する前に広告内容の申込欄や申込先等をロール紙や枚葉紙に印刷しておく必要がないので、使用枚数が少ない場合でも紙資源の無駄な消費やコスト高を防止することができる。
【００２２】
また、広告内容の申込欄や申込先等を印刷用紙に印刷するための印刷版を製作しなくてもよいので、印刷コストをより低減することができる。さらに、オフセット印刷に代表される印刷版を用いた印刷と比較して、印刷のランニングコストを低減することができる。
また、第１の実施形態のように、用紙部１１と封筒部１２を互いに共通する１枚の用紙１４から形成したことで、用紙部１１と封筒部１２を２枚の用紙から形成した場合のように、封筒部１２の封筒上紙部１２１と封筒下紙部１２２との貼り合せ部分が所定の位置がずれてしまい、不良品が発生することを抑制することができる。
【００２３】
さらに、第１の実施形態のように、用紙部１１と封筒部１２の合計寸法がＡサイズまたはＢサイズの寸法となるように、封筒部１２を用紙部１１の一側辺部に隣接して形成したことで、既存のオンデマンド印刷機やプリンタ、複写機等を用いて用紙部１１と封筒部１２に必要な文字情報を書き込むことができる。
また、第１の実施形態のように、用紙部１１の一側辺部に沿って長方形状に且つ用紙部１１の一側辺部に隣接して形成された封筒上紙部１２１と、この封筒上紙部１２１の一長辺部に隣接して形成された長方形状の封筒下紙部１２２と、封筒上紙部１２１の一短辺部と用紙部１１の一側辺部に隣接して形成された封緘片部１２３とで封筒部１２を形成したことで、封筒部の封筒下紙部を用紙部の一側辺部に隣接して形成した場合のように、用紙１４の切り落とし部分が少なくて済むので、紙資源の有効活用を図ることができる。
【００２４】
さらに、封筒下紙部１２２を封筒上紙部１２１の裏面側に折り返すと共に、封筒上紙部１２１の裏面１２１ａと封筒下紙部１２２の裏面１２２ａとを袋状に接着して封筒部１２を形成したことで、封筒部１２を簡単に作ることができ、コストをより低減することができる。しかも、封筒部１２の厚さが最大でも用紙２枚分の厚さとなるので、この程度の厚さであればオンデマンド印刷機、プリンタあるいは複写機内で紙詰まりになる可能性が低い。
なお、上述した第１の実施形態では用紙部１１と封筒部１２の表面と裏面を無地としたが、用紙部１１と封筒部１２の表面と裏面の少なくとも一方を無地としてもよい。また、封筒部１２の封筒上紙部１２１や封筒下紙部１２２の裏面に透け防止用の印刷があらかじめ施されていてもよい。
【００２５】
次に、本発明の第２の実施形態に係る封筒付き用紙を図５〜図７に示す。図中符号１５は本発明の第２の実施形態に係る封筒付き用紙であって、この封筒付き用紙１５は用紙部１１、封筒部１２および切り離し線１３を備えている。
用紙部１１は例えば封筒付き申込用紙の申込用紙部や封筒付きアンケート用紙のアンケート用紙部として使用されるものであって、例えば２１０ｍｍ×１８０ｍｍの寸法で長方形状に形成されている。
封筒部１２は用紙部１１を返送するためのものであって、用紙部１１の一側辺部としての一長辺部に隣接して用紙部１１と一体に且つ例えば２１０ｍｍ×１１０ｍｍの寸法で長方形状に形成されている。
【００２６】
封筒部１２は、また、例えば２１０ｍｍ×１５ｍｍの寸法で長方形状に形成された封緘片部１２３を有し、この封緘片部１２３は用紙部１１の一側辺部に隣接して形成されている。また、封筒部１２は封緘片部１２３の一長辺部に隣接する封筒上紙部１２１を有し、この封筒上紙部１２１は例えば２１０ｍｍ×９５ｍｍの寸法で長方形状に形成されている。また、封筒部１２は封筒上紙部１２１の一長辺部に隣接する封筒下紙部１２２を有し、この封筒下紙部１２２は例えば２１０ｍｍ×９５ｍｍの寸法で長方形状に形成されている。
【００２７】
封筒部１２は、また、封筒下紙部１２２を封筒上紙部１２１の裏面側に折り返し線１２４に沿って折り返し、封筒上紙部１２１の裏面１２１ａと封筒下紙部１２２の裏面１２２ａとを袋状に接着して形成されている。さらに、封筒部１２は用紙部１１と封筒部１２の合計寸法がＡ３、Ａ４等のＡサイズまたはＢ４、Ｂ５等のＢサイズの寸法となるように、用紙部１１の一側辺部に隣接して形成されている。
【００２８】
切り離し線１３は用紙部１１と封筒部１２とを切り離すためのものであって、用紙部１１と封筒部１２との間に封筒部１２の長手方向に沿って形成されている。また、この切り離し線１３は用紙部１１と封筒部１２との間にミシン目を線状に入れて形成されている。
用紙部１１と封筒部１２は、互いに共通する１枚の用紙１４から形成されている。また、用紙部１１と封筒部１２は、その表面と裏面が無地となっている。
【００２９】
上述した第２の実施形態のように、用紙部１１の一側辺部に沿って長方形状に且つ用紙部１１の一側辺部に隣接して形成された封緘片部１２３と、この封緘片部１２３の一長辺部に隣接して形成された長方形状の封筒上紙部１２１と、この封筒上紙部１２１の一長辺部に隣接して形成された長方形状の封筒下紙部１２２とで封筒部１２を形成したことで、例えば封筒部の封筒上紙部を用紙部の一側辺部に隣接して形成した場合のように、用紙１４の所定部分を切り落とす必要がないので、紙資源の有効活用を図ることができる。
【００３０】
次に、本発明の第３の実施形態に係る封筒付き用紙を図８〜図１０に示す。図中符号１６は本発明の第３の実施形態に係る封筒付き用紙であって、この封筒付き用紙１６は用紙部１１、封筒部１２、切り離し線１３、第２の用紙部１７および第２の切り離し線１８を備えている。
用紙部１１は例えば封筒付き申込用紙の申込用紙部や封筒付きアンケート用紙のアンケート用紙部として使用されるものであって、例えば２１０ｍｍ×９０ｍｍの寸法で長方形状に形成されている。
【００３１】
封筒部１２は用紙部１１を返送するためのものであって、用紙部１１の一側辺部としての一長辺部に隣接して用紙部１１と一体に且つ例えば２１０ｍｍ×１１０ｍｍの寸法で長方形状に形成されている。また、封筒部１２は用紙部１１と封筒部１２および第２の用紙部１７との合計寸法がＡ３、Ａ４等のＡ列規格の用紙サイズまたはＢ４、Ｂ５等のＢ列規格の用紙サイズと同じ寸法となるように、用紙部１１の一側辺部に隣接して形成されている。
切り離し線１３は用紙部１１と封筒部１２とを切り離すためのものであって、用紙部１１と封筒部１２との間に封筒部１２の長手方向に沿って形成されている。また、この切り離し線１３は用紙部１１と封筒部１２との間にミシン目を線状に入れて形成されている。
【００３２】
第２の用紙部１７は例えば控え用紙部として使用されるものであって、例えば縦２１０ｍｍ、横９０ｍｍの寸法で長方形状に形成されている。また、第２の用紙部１７は用紙部１１の二つの長辺部のうち封筒部１２と反対側の一長辺部に隣接して形成されている。
第２の切り離し線１８は用紙部１１と第２の用紙部１７とを切り離すためのものであって、用紙部１１と第２の用紙部１７との間に用紙部１１の長辺方向に沿って形成されている。
用紙部１１、封筒部１２および第２の用紙部１７は、互いに共通する１枚の用紙１４から形成されている。また、用紙部１１、封筒部１２および第２の用紙部１７は、その表面と裏面が無地となっている。
【００３３】
上述した第３の実施形態のように、用紙部１１、封筒部１２および第２の用紙部１７の表裏面を無地としたことで、封筒付き用紙１５を例えば封筒付き申込用紙と使用する場合に、広告印刷物の配布数に応じた分だけ広告内容の申込欄や申込先等を用紙部１１や封筒部１２に印刷することができる。従って、封筒付き申込用紙を作製する前に広告内容の申込欄や申込先等をロール紙や枚葉紙に印刷しておく必要がないので、使用枚数が少ない場合でも紙資源の無駄な消費やコスト高を防止することができる。
【００３４】
次に、図１１を参照して本発明の第４の実施形態について説明する。
図中符号１９は本発明の第４の実施形態に係る封筒付き用紙であって、この封筒付き用紙１９は用紙部１１、封筒部１２、切り離し線１３、第２の用紙部１７および第２の切り離し線１８を備えている。
用紙部１１は例えば封筒付き申込用紙の申込用紙部や封筒付きアンケート用紙のアンケート用紙部として使用されるものであって、例えば２１０ｍｍ×７７ｍｍの寸法で長方形状に形成されている。
【００３５】
封筒部１２は用紙部１１を返送するためのものであって、用紙部１１の一側辺部としての一長辺部に隣接して用紙部１１と一体に形成されている。また、封筒部１２は例えば９０ｍｍ×１５ｍｍの寸法で長方形状に形成された封緘片部１２３を有し、この封緘片部１２３は用紙部１１の一側辺部に隣接して形成されている。
封筒部１２は、また、封緘片部１２３の一長辺部に隣接する封筒上紙部１２１を有し、この封筒上紙部１２１は例えば９０ｍｍ×２０５ｍｍの寸法で長方形状に形成されている。さらに、封筒部１２は封筒上紙部１２１の一長辺部に隣接する封筒下紙部１２２を有し、この封筒下紙部１２２は例えば９０ｍｍ×２０５ｍｍの寸法で長方形状に形成されている。
【００３６】
また、封筒部１２は封筒下紙部１２２を封筒上紙部１２１の裏面側に折り返し線１２４に沿って折り返し、封筒上紙部１２１の裏面と封筒下紙部１２２の裏面とを袋状に接着して形成されている。さらに、封筒部１２は用紙部１１、封筒部１２および第２の用紙部１７の合計寸法がＡ３、Ａ４等のＡ列規格の用紙サイズまたはＢ４、Ｂ５等のＢ列規格の用紙サイズと同じ寸法となるように、用紙部１１の一側辺部に隣接して形成されている。
切り離し線１３は用紙部１１と封筒部１２とを切り離すためのものであって、用紙部１１と封筒部１２の封緘片部１２３との間に封筒部１２の短辺方向に沿って形成されている。また、この切り離し線１３は用紙部１１と封筒部１２との間にミシン目を線状に入れて形成されている。
【００３７】
第２の用紙部１７は例えば控え用紙部として使用されるものであって、例えば１２０ｍｍ×２２０ｍｍの寸法で長方形状に形成されている。また、第２の用紙部１７は用紙部１１の一長辺部と封筒部１２の一長辺部に隣接して形成されている。
第２の切り離し線１８は封筒部１２と第２の用紙部１７とを切り離すためのものであって、封筒部１２の一長辺部と第２の用紙部１７の一長辺部との間に封筒部１２の長辺方向に沿って形成されている。
用紙部１１、封筒部１２および第２の用紙部１７は、互いに共通する１枚の用紙１４から形成されている。また、用紙部１１、封筒部１２および第２の用紙部１７は、その表面と裏面が無地となっている。
【００３８】
上述した第４の実施形態のように、用紙部１１、封筒部１２および第２の用紙部１７の表裏面を無地としたことで、封筒付き用紙１９を例えば封筒付き申込用紙と使用する場合に、広告印刷物の配布数に応じた分だけ広告内容の申込欄や申込先等を用紙部１１や封筒部１２に印刷することができる。従って、封筒付き申込用紙を作製する前に広告内容の申込欄や申込先等をロール紙や枚葉紙に印刷しておく必要がないので、使用枚数が少ない場合でも紙資源の無駄な消費やコスト高を防止することができる。
【００３９】
次に、図１２を参照して本発明の第５の実施形態について説明する。
図中符号２０は本発明の第５の実施形態に係る封筒付き用紙であって、この封筒付き用紙１９は用紙部１１、封筒部１２、切り離し線１３、第２の用紙部１７および第２の切り離し線１８を備えている。
用紙部１１は例えば封筒付き申込用紙の申込用紙部や封筒付きアンケート用紙のアンケート用紙部として使用されるものであって、例えば１２０ｍｍ×２２０ｍｍの寸法で長方形状に形成されている。
【００４０】
封筒部１２は用紙部１１を返送するためのものであって、用紙部１１の一側辺部としての一長辺部に隣接して用紙部１１と一体に形成されている。また、封筒部１２は用紙部１１の一長辺部に隣接する封筒上紙部１２１を有し、この封筒上紙部１２１は例えば９０ｍｍ×２０５ｍｍの寸法で長方形状に成されている。
封筒部１２は、また、封筒上紙部１２１の一短辺部に隣接する封筒下紙部１２２を有し、この封筒下紙部１２２は例えば９０ｍｍ×２０５ｍｍの寸法で長方形状に形成されている。さらに、封筒部１２は封筒下紙部１２２と反対側の封筒上紙部１２１の一短辺部に隣接する封緘片部１２３を有し、この封緘片部１２３は例えば９０ｍｍ×１５ｍｍの寸法で長方形状に形成されている。
【００４１】
封筒部１２は、また、封筒下紙部１２２を封筒上紙部１２１の裏面側に折り返し線１２４に沿って折り返し、封筒上紙部１２１の裏面と封筒下紙部１２２の裏面とを袋状に接着して形成されている。さらに、封筒部１２は用紙部１１、封筒部１２および第２の用紙部１７の合計寸法がＡ３、Ａ４等のＡ列規格の用紙サイズまたはＢ４、Ｂ５等のＢ列規格の用紙サイズと同じ寸法となるように、用紙部１１の一側辺部に隣接して形成されている。
切り離し線１３は用紙部１１と封筒部１２とを切り離すためのものであって、用紙部１１と封筒部１２の封筒上紙部１２１との間に封筒部１２の長辺方向に沿って形成されている。また、この切り離し線１３は用紙部１１と封筒部１２との間にミシン目を線状に入れて形成されている。
【００４２】
第２の用紙部１７は例えば控え用紙部として使用されるものであって、例えば７７ｍｍ×２２０ｍｍの寸法で長方形状に形成されている。また、第２の用紙部１７は用紙部１１の一短辺部と封筒部１２の封緘片部１２３の一短辺に隣接して形成されている。
第２の切り離し線１８は封筒部１２と第２の用紙部１７とを切り離すためのものであって、封筒部１２の一長辺部と第２の用紙部１７の一長辺部との間に封筒部１２の長辺方向に沿って形成されている。
用紙部１１、封筒部１２および第２の用紙部１７は、互いに共通する１枚の用紙１４から形成されている。また、用紙部１１、封筒部１２および第２の用紙部１７は、その表面と裏面が無地となっている。
【００４３】
上述した第５の実施形態のように、用紙部１１、封筒部１２および第２の用紙部１７の表裏面を無地としたことで、封筒付き用紙１９を例えば封筒付き申込用紙と使用する場合に、広告印刷物の配布数に応じた分だけ広告内容の申込欄や申込先等を用紙部１１や封筒部１２に印刷することができる。従って、封筒付き申込用紙を作製する前に広告内容の申込欄や申込先等をロール紙や枚葉紙に印刷しておく必要がないので、使用枚数が少ない場合でも紙資源の無駄な消費やコスト高を防止することができる。
なお、上述した第１の実施形態と第２の実施形態では、用紙部１１と封筒部１２が１枚の用紙１４から形成されたものを例示したが、封筒部１２は２枚の用紙から形成されていてもよい。
【００４４】
また、上述した第３〜第５の実施形態では、用紙部１１、封筒部１２および第２の用紙部１７が１枚の用紙から形成されたものを例示したが、封筒部１２は２枚の用紙から形成されていてもよい。
また、上述した第３の実施形態では、用紙部１１と第２の用紙部１７とを切り離す第２の切り離し線１８が用紙部１１と封筒部１２とを切り離す切り離し線１３と平行に形成されたものを例示したが、第２の切り離し線１８が用紙部１１と封筒部１２とを切り離す切り離し線１３と直角に形成されていてもよい。
【００４５】
さらに、上述した第１の実施形態と第３の実施形態では、封筒部１２が、用紙部１１の一側辺部に沿って長方形状に且つ用紙部１１の一側辺部に隣接して形成された封筒上紙部１２１と、封筒上紙部１２１の一長辺部に隣接して形成された長方形状の封筒下紙部１２２と、封筒上紙部１２１の一短辺部と用紙部１１の一側辺部に隣接して形成された封緘片部１２３からなるものを例示したが、図１３に示す第６の実施形態のように、封筒部１２が、用紙部１１の一側辺部に沿って長方形状に且つ用紙部１１の一側辺部に隣接して形成された封筒上紙部１２１と、封筒上紙部１２１の一方の短辺部に隣接して形成された長方形状の封筒下紙部１２２と、封筒上紙部１２１の他方の短辺部と用紙部１１の一側辺部に隣接して形成された封緘片部１２３とからなるものであってもよい。
【００４６】
また、上述した第２の実施形態では、封筒部１２が、用紙部１１の一側辺部に沿って長方形状に且つ用紙部１１の一側辺部に隣接して形成された封緘片部１２３と、封緘片部１２３の一長辺部に隣接して形成された長方形状の封筒上紙部１２１と、封筒上紙部１１の一長辺部に隣接して形成された長方形状の封筒下紙部１２２とからなるものを例示したが、図１４に示す第７の実施形態のように、封筒部１２が、用紙部１１の一側辺部に沿って長方形状に且つ用紙部１１の一側辺部に隣接して形成された封緘片部１２３と、封緘片部１２３の一長辺部に隣接して形成された長方形状の封筒上紙部１２１と、封筒上紙部１２１の一短辺部に隣接して形成された長方形状の封筒下紙部１２２とからなるものであってもよい。
【００４７】
また、上述した各実施形態では、用紙部１１と封筒部１２とを切り離すための切り離し線１３を備えたものを例示したが、切り離し線１３を必ずしも備えていなくてもよい。
また、上述した各実施形態では、用紙部１１と封筒部１２とを切り離すための切り離し線１３がミシン目により形成されたものを例示したが、切り離し線１３を印刷により形成し、鋏やカッター等を使用して用紙部１１と封筒部１２とを切り離すようにしてもよい。
さらに、上述した各実施形態では、封筒部１２が封緘片部１２３を有するものを例示したが、封緘片部１２３を必ずしも有していなくてもよく、封筒部１２が封筒上紙部１２１と封筒下紙部１２２とからなるものであってもよい。
【符号の説明】
【００４８】
１０，１５，１６，１９…封筒付き用紙
１１…用紙部
１２…封筒部
１２１…封筒上紙部
１２２…封筒下紙部
１２３…封緘片部
１３…切り離し線
１７…第２の用紙部
１８…第２の切り離し線
【図１】
0005576714.tif 000002
【図２】
0005576714.tif 000003
【図３】
0005576714.tif 000004
【図４】
0005576714.tif 000005
【図５】
0005576714.tif 000006
【図６】
0005576714.tif 000007
【図７】
0005576714.tif 000008
【図８】
0005576714.tif 000009
【図９】
0005576714.tif 000010
【図１０】
0005576714.tif 000011
【図１１】
0005576714.tif 000012
【図１２】
0005576714.tif 000013
【図１３】
0005576714.tif 000014
【図１４】
0005576714.tif 000015